(57)【要約】【課題】軽量化を実現することのできる電子機器およびこの電子機器に用いるヒンジ装置を提供することにある。【解決手段】第１のブラケット２１０のアーム２１５にカム部２１５Ａを設けることで、第１のブラケット２１０とは別にカム部材を設けることなくシャフト２２１に設けられるカム部材２１６とのカム機構部を形成することができる、このことにより、カム機構部のカム係合状態に応じてヒンジ軸２３０に適切なトルクを付与するとともに部品点数の削減を実現できる。また、第２のブラケット２４０からヒンジ軸２３０の軸方向に離れた軸上にカム部２１５Ａおよびカム部材２１６からなる小型のカム機構部を設けているので、ヒンジ装置２１，２２を軽量化することができる。【選択図】図７
2008298279.tif 000002
【特許請求の範囲】
【請求項１】
本体に固定されて軸受部に第１のカムを有する第１のブラケットと、
表示部に固定されて前記軸受部に挿通される軸を固定された第２のブラケットと、
前記第２のブラケットとともに回動するように前記軸に支持され、前記第１のカムと軸上で弾性的に係合するように設けられる第２のカムとを含み、
前記第１のブラケットと前記第２のブラケットとが前記軸を中心に相対的に回動することに基づく前記第１のカムおよび前記第２のカムの係合状態に応じた回転トルクを前記軸に発生させるヒンジ装置を備えた電子機器。
【請求項２】
前記第１のブラケットおよび前記第２のカムは、同一の材料で形成されている請求項１に記載の電子機器。
【請求項３】
前記第１のカムおよび前記第２のカムは、凸面の角部がなだらかな曲面で形成されたカム面を有する請求項１又は２に記載の電子機器。
【請求項４】
前記第１のブラケットおよび前記第２のカムは、耐摩耗性を高める表面処理が施されている請求項１から３のいずれか１項に記載の電子機器。
【請求項５】
軸受部に第１のカムを有する第１のブラケットと、
前記軸受部に挿通される軸を固定された第２のブラケットと、
前記第２のブラケットとともに回動するように前記軸に支持され、前記第１のカムと軸上で弾性的に係合するように設けられる第２のカムとを含み、
前記第１のブラケットと前記第２のブラケットとが前記軸を中心に相対的に回動することに基づく前記第１のカムおよび前記第２のカムの係合状態に応じた回転トルクを前記軸に発生させるヒンジ装置。
【請求項６】
軸受部に第１のカムを有する第１のブラケットと、
前記軸受部に挿通される軸を固定された第２のブラケットと、
前記第２のブラケットとともに回動するように前記軸に支持され、前記第１のカムと軸上で弾性的に係合するように設けられる第２のカムと、
前記第１のカムおよび前記第２のカムを前記第２のブラケットから離れた軸上に同軸状に配置するフランジを含み、
前記第１のブラケットと前記第２のブラケットとが前記軸を中心に相対的に回動することに基づく前記第１のカムおよび前記第２のカムの係合状態に応じた回転トルクを前記軸に発生させるヒンジ装置。
【請求項７】
前記第１のブラケットおよび前記第２のカムは、同一の材料で形成されている請求項５又は６に記載のヒンジ装置。
【請求項８】
前記第１のカムおよび前記第２のカムは、凸面の角部がなだらかな曲面で形成されたカム面を有する請求項５から７のいずれか１項に記載のヒンジ装置。
【請求項９】
前記第１のブラケットおよび前記第２のカムは、耐摩耗性を高める表面処理が施されている請求項５から８のいずれか１項に記載のヒンジ装置。
【請求項１０】
前記第１のカムおよび前記第２のカムは、前記カム面の接触状態に応じた回転トルクを生じる請求項８に記載のヒンジ装置。
【発明の詳細な説明】
【技術分野】
【０００１】
本発明は、電子機器およびこの電子機器に用いるヒンジ装置に関する。
【背景技術】
【０００２】
従来、ポータブルコンピュータのような電子機器は、キーボードを有する本体と、液晶表示装置を内蔵した表示ユニットとを備えている。表示ユニットは、ヒンジ装置を介して本体ユニットに回動可能に支持されている。
【０００３】
ヒンジ装置は、第１のブラケット、第２のブラケットおよびヒンジ軸を有している。ヒンジ軸の一端は、第１のブラケットに回動可能に支持されているとともに、ヒンジ軸の他端は、第２のブラケットに固定されている。そのため、第１のブラケットと第２のブラケットは、ヒンジ軸の軸回り方向に相対的に回動可能となっている。
【０００４】
このようなヒンジ装置として、回動角度に応じて回転トルクを変化させるようにしたヒンジ装置が提案されている（例えば、特許文献１参照。）。
【０００５】
特許文献１に示されたヒンジ装置は、固定板を回転軸に取り付けるとともに回転軸のストッパと固定板との間にバネを設け、回転軸とともに回転するバネが固定板に設けられた厚みの大なる部分に接触することによる弾性力の変化に基づいて回転トルクを変化させるように形成されている。
【特許文献１】特開平９−１５１９３６号公報
【発明の開示】
【発明が解決しようとする課題】
【０００６】
しかし、特許文献１によると、回転トルクの変化を生じさせる凸部を有した弾性部材を固定板との摺動面に設けているため、長期の使用によってバネの磨耗および変形が生じ、トルク変動が生じてしまうという問題がある。これを解消するために耐磨耗性およびトルク特性に優れるバネを用いる場合、強度特性に応じた厚く硬いバネを用いる必要があり、ヒンジ装置の軽量化を妨げるという問題がある。
【０００７】
従って、本発明の目的は、軽量化を実現することのできる電子機器およびこの電子機器に用いるヒンジ装置を提供することにある。
【課題を解決するための手段】
【０００８】
本発明は、上記目的を達成するため、本体に固定されて軸受部に第１のカムを有する第１のブラケットと、表示部に固定されて前記軸受部に挿通される軸を固定された第２のブラケットと、前記第２のブラケットとともに回動するように前記軸に支持され、前記第１のカムと軸上で弾性的に係合するように設けられる第２のカムとを含み、前記第１のブラケットと前記第２のブラケットとが前記軸を中心に相対的に回動することに基づく前記第１のカムおよび前記第２のカムの係合状態に応じた回転トルクを前記軸に発生させるヒンジ装置を備えた電子機器を提供する。
【０００９】
また、本発明は上記目的を達成するため、軸受部に第１のカムを有する第１のブラケットと、前記軸受部に挿通される軸を固定された第２のブラケットと、前記第２のブラケットとともに回動するように前記軸に支持され、前記第１のカムと軸上で弾性的に係合するように設けられる第２のカムとを含み、前記第１のブラケットと前記第２のブラケットとが前記軸を中心に相対的に回動することに基づく前記第１のカムおよび前記第２のカムの係合状態に応じた回転トルクを前記軸に発生させるヒンジ装置を提供する。
【００１０】
また、本発明は上記目的を達成するため、軸受部に第１のカムを有する第１のブラケットと、前記軸受部に挿通される軸を固定された第２のブラケットと、前記第２のブラケットとともに回動するように前記軸に支持され、前記第１のカムと軸上で弾性的に係合するように設けられる第２のカムと、前記第１のカムおよび前記第２のカムを前記第２のブラケットから離れた軸上に同軸状に配置するフランジを含み、前記第１のブラケットと前記第２のブラケットとが前記軸を中心に相対的に回動することに基づく前記第１のカムおよび前記第２のカムの係合状態に応じた回転トルクを前記軸に発生させるヒンジ装置を提供する。
【発明の効果】
【００１１】
本発明によれば、電子機器の軽量化を実現することができる。
【発明を実施するための最良の形態】
【００１２】
以下、本発明の実施の形態を、ポータブルコンピュータに適用した図面に基づいて説明する。
【００１３】
（実施の形態の構成）
図１および図２は、電子機器としてのポータブルコンピュータ１を示す。このポータブルコンピュータ１は、本体ユニット２と表示ユニット３とを備えている。
【００１４】
本体ユニット２は、例えば、机の天板のような設置面（図示せず）に設置可能な偏平な箱状の第１の筐体４を有している。第１の筐体４は、例えばマグネシウム合金のような金属材料で作られている。
【００１５】
第１の筐体４は、ベース５と、トップカバー６とで構成されている。トップカバー６は、上壁４ｂと、側壁４ｃと、後壁４ｅを有し、ベース５の上端開口を閉塞している。
【００１６】
第１の筐体４は、側壁４ｃと後壁４ｅとで規定される角部に凹部７ａ，７ｂが形成されている。凹部７ａ，７ｂは、第１の筐体４の表示ユニット３側である後端に位置するとともに、第１の筐体４の幅方向に互いに離れて設けられている。
【００１７】
第１の筐体４は、キーボード取付部８とバッテリ収容部９とタッチパッド１９を備えている。キーボード取付部８は、上壁４ｂの上面に開口する矩形状の凹所であり、キーボード１０を支持している。バッテリ収容部９は、キーボード１０の背後に位置している。バッテリ収容部９は、第１の筐体４の底壁、上壁４ｂおよび後壁４ｅに連続して開口する凹所であり、バッテリパック１１を取り外し可能に支持している。タッチパッド１９は、トップカバー６の上壁４ｂにキーボード１０より手前に位置するように設けられており、スイッチ１９ａおよび１９ｂと指紋読取部１９ｃを有する。
【００１８】
また、第１の筐体４の側壁４ｃには、メモリカードスロット２５、ＵＳＢ（Universal Serial Bus）端子２６Ａ，２６Ｂおよびディスプレイ端子２９が設けられている。第１の筐体の上壁４ｂのキーボード１０よりも上側に、電源スイッチ２７や他のスイッチ２８Ａ，２８Ｂが設けられている。
【００１９】
表示ユニット３は、第２の筐体１３と液晶表示部１４とを備えている。第２の筐体１３は、第１の筐体４と略同じ大きさの偏平な箱状であり、その一端に一対の脚部１５ａ，１５ｂを有している。脚部１５ａ，１５ｂは、第２の筐体１３の幅方向に互いに離れているとともに、第１の筐体４の凹部７ａ，７ｂに入り込んでいる。
【００２０】
第２の筐体１３は、液晶表示部１４を支持するＬＣＤ（Liquid Crystal Display）カバー１６と、このＬＣＤカバー１６に被せられたＬＣＤマスク１７とを備えている。液晶表示部１４は、画像を表示するスクリーン１４ａを有している。スクリーン１４ａは、ＬＣＤマスク１７に形成した開口部１８を通じて第２の筐体１３の外方に露出している。
【００２１】
図２に示すように、第１の筐体４のトップカバー６は、一対のヒンジ支持部２０ａ，２０ｂを有している。一方のヒンジ支持部２０ａは、左側の凹部７ａとバッテリ収容部９の左端部との間に位置している。他方のヒンジ支持部２０ｂは、右側の凹部７ｂとバッテリ収容部９の右端部との間に位置している。これらヒンジ支持部２０ａ，２０ｂは、ビス２３によってビス止め固定される金属製の第１および第２のヒンジ装置２１，２２を介して表示ユニット３を回動可能に支持している。
【００２２】
第１および第２のヒンジ装置２１，２２は、トップカバー６のヒンジ支持部２０ａ，２０ｂにビス止め固定される第１のブラケット２１０を有し、第１のブラケット２１０には、ビス２３を貫通させるビス通し孔２１１と位置決め孔２１２とを有する。
【００２３】
表示ユニット３は、閉じ位置と開き位置との間で回動可能となっている。閉じ位置では、表示ユニット３は本体ユニット２の上に横たわり、キーボード１０を上方から覆い隠すようになっている。開き位置では、表示ユニット３は本体ユニット２の後端部から起立しており、これによりキーボード１０およびスクリーン１４ａが露出するようになっている。
【００２４】
第１のヒンジ装置２１は、トップカバー６の一方のヒンジ支持部２０ａと第２の筐体１３の左側の脚部１５ａとの間に跨って設けられる。第２のヒンジ装置２２は、トップカバー６の他方のヒンジ支持部２０ｂと第２の筐体１３の右側の脚部１５ｂとの間に跨って設けられる。
【００２５】
第１および第２のヒンジ装置２１，２２は、脚部１５ａ，１５ｂに収容されている第２のブラケットから軸方向に離れた軸上に第１のブラケットと第２のブラケットの相対的な変位に基づく軸の回動を規制する回動規制部を有している。回動規制部は、開き位置の所定の角度において表示ユニット３の回動を規制する。また、閉じ位置において表示ユニット３が開き方向に回動しないようにヒンジ軸を保持するカム機構部を備えている。
【００２６】
図３は、図２に示すヒンジ支持部２０ａにおける第１のブラケット２１０のビス固定状態を示す部分拡大図である。ヒンジ装置２１は、第１のブラケット２１０のビス通し孔２１１を介して挿入されるビス２３によってヒンジ支持部２０ａのビス固定部２００にビス止め固定される。位置決め部２０１は、第１のブラケット２１０の位置決め孔２１２に挿入されて第１のブラケット２１０を位置決めしている。
【００２７】
図４は、図２に示すヒンジ支持部２０ｂにおける第１のブラケット２１０のビス固定状態を示す部分拡大図である。ヒンジ装置２２は、第１のブラケット２１０のビス通し孔２１１を介して挿入されるビス２３によってヒンジ支持部２０ｂのビス固定部２００にビス止め固定される。位置決め部２０１は、第１のブラケット２１０の位置決め孔２１２に挿入されて第１のブラケット２１０を位置決めしている。
【００２８】
図５は、ヒンジ装置２１を示す斜視図である。ヒンジ装置２１は、ヒンジ支持部２０ａにビス止め固定されるカバー固定片２１４を備えた第１のブラケット２１０と、第１のブラケット２１０に一体的に設けられるカム部２１５Ａを備えたアーム２１５と、アーム２１５のカム部２１５Ａと後述するカム面が接触するように設けられるカム部材２１６と、カム部材２１６に弾性力を付与する皿バネ２１７と、アーム２１５のカム部２１５Ａと面接触する摩擦板２１８と、第１のブラケット２１０の回動軸を中心とする回動量を規制するストッパ２１９Ａを有するストッパ部材２１９と、カム部２１５Ａ，カム部材２１６，皿バネ２１７，摩擦板２１８，およびストッパ部材２１９を同軸状に支持する略四角断面状のシャフト２２１と、孔２２０Ａを貫通したシャフト２２１とのかしめによる固定部２２２で固定される固定板２２０と、シャフト２２１と連続的に設けられてフランジ２３１を有するヒンジ軸２３０と、ヒンジ軸２３０に固定される第２のブラケット２４０とを有する。
【００２９】
ヒンジ装置２１のシャフト２２１上におけるカム部２１５Ａ，カム部材２１６，皿バネ２１７，摩擦板２１８，およびストッパ部材２１９の軸方向への移動は、ヒンジ軸２３０と一体的に設けられるフランジ２３１によって規制される。
【００３０】
第１のブラケット２１０は、カバー固定片２１４とアーム２１５とが一体的に形成されている。アーム２１５には更にヒンジ軸２３０と第１のブラケット２１０との相対的な回動を規制するための回動規制端部２１３が形成されている。
【００３１】
また、第１のブラケット２１０は、アーム２１５に一体的に設けられているカム部２１５Ａとシャフト２２１上に隣接して設けられるカム部材２１６とでヒンジ装置２１のカム機構部を構成している。カム機構部は、カム部２１５Ａのカム面２１５ａとカム部材２１６のカム面２１６ａとの面接触に基づいて、第１のブラケット２１０と第２のブラケット２４０とを一定の角度で保持させるものである。図５においては、カム面２１５ａとカム面２１６ａとが凹凸係合した状態を示している。
【００３２】
シャフト２２１は、カム部２１５Ａを回動可能に支持している。また、シャフト２２１は、カム部材２１６，皿バネ２１７を軸方向に摺動可能に支持している。また、シャフト２２１は、フランジ２３１側に摩擦板２１８およびストッパ部材２１９が固定されている。
【００３３】
第２のブラケット２４０は、ヒンジ軸２３０に固定される軸固定部２４１と、軸固定部２４１と一体化されたアーム２４２と、アーム２４２先端に設けられるＬＣＤカバー固定片２４３と、第２のブラケット２４０を表示ユニット３のＬＣＤカバーに固定するビスを貫通させるビス通し孔２４４とを有する。ＬＣＤカバー１６は、ビス止め位置にＬＣＤカバー固定片２４３を係止した状態でビス通し孔２４４にビスを貫通させることによりビス止め固定される。
【００３４】
図６は、ヒンジ装置２２を示す斜視図である。ヒンジ装置２２は、第１のブラケット２１０が２つのビス通し孔２１１と２つの位置決め孔２１２を有する点で相違することを除き、図５に示すヒンジ装置２１と同様の構成を有する。
【００３５】
図７は、ヒンジ装置２１の回動規制部およびカム機構部における分解図である。なお、ヒンジ装置２２についてもヒンジ装置２１と同様に構成されている。
【００３６】
ヒンジ装置２１および２２は、皿バネ２１７を除く部分がステンレス鋼（ＳＵＳ）によって形成されており、第１のブラケット２１０およびカム部材２１６には、耐摩耗性を高めるために表面処理としてパーカー処理が施されている。
【００３７】
カム部材２１６は、シャフト２２１の断面と同等の略四角断面状の孔２１６Ａを有し、シャフト２２１に取り付けられることによってシャフト２２１上での回動を規制される。
【００３８】
皿バネ２１７は、高張力鋼によって緩曲線状の断面を有するように形成されており、２枚の皿バネ２１７の凹面２１７ａが向かい合うように組み合わせられて対を形成するようにシャフト２２１に取り付けられている。一対の皿バネ２１７は、凸面２１７ｂに対して圧縮する方向に外力が加えられると、外力に応じて変形して反発力を生じる。本実施の形態では、一対の皿バネ２１７を３組用いた構成としている。
【００３９】
第１のブラケット２１０のカム部２１５Ａは、シャフト２２１を支持する軸受部であるとともに、凸面２１５ｃと平坦面２１５ｄからなるカム面２１５ａを有する。また、カム部材２１６は、凸面２１６ｃと平坦面２１６ｄからなるカム面２１６ａを有し、平坦面２１６ｄはカム面２１５ａの凸面２１５ｃと凹凸係合する形状を有している。なお、カム部２１５Ａの凸面２１５ｃは、角部がなだらかな曲面によって形成されている。
【００４０】
摩擦板２１８は、カム部２１５Ａとの接触面にグリースを供給するための穴２１８Ａを有する。穴２１８Ａから供給されるグリースによって接触面に適量の油分が供給されることにより、摺動抵抗の増大が抑制される。
【００４１】
ストッパ部材２１９は、シャフト２２１上に回動可能に設けられる第１のブラケット２１０のカム部２１５Ａの外周上に位置するようにストッパ２１９Ａが折り曲げ加工されている。ストッパ２１９Ａは、第１のブラケットと第２のブラケットのヒンジ軸２３０回りの相対的な変位に基づく回動に伴い、ストッパ２１９Ａの側面に第１のブラケット２１０の回動規制端部２１３が接触することによって回動が規制される。
【００４２】
（実施の形態の動作）
このような構成のポータブルコンピュータ１において、表示ユニット３を本体ユニット２に対して閉じた状態から開く動作におけるヒンジ装置２２の動作について説明する。
【００４３】
図８は、表示ユニット３が本体ユニット２に対して閉じられた状態を示し、（ａ）はヒンジ装置と表示ユニットおよび本体ユニットの状態を示す概略図、（ｂ）は（ａ）の状態におけるヒンジ装置のカム機構部の状態を示す概略図である。なお、カム機構部については、ヒンジ装置２２のヒンジ軸２３０の部分をキーボード側から水平方向に見た状態を示している。
【００４４】
図８（ａ）に示すように、表示ユニット３が本体ユニット２に対して閉じた状態であるとき、シャフト２２１を回動軸とする表示ユニット３と本体ユニット２とのなす角度はほぼ０°である。このとき、図８（ｂ）に示すように、カム部２１５Ａのカム面２１５ａとカム部材２１６のカム面２１６ａとが部分的に接触した状態にある。
【００４５】
図８（ｂ）に示す状態では、凸面２１５ｃの角部のなだらかな曲面形状に基づいて平坦面２１６ｄとの凹凸係合を促す方向（表示ユニット３を閉じる方向）にトルクが生じる。このことにより、表示ユニット３にはシャフト２２１を回動軸とする閉方向のトルクが付加されるので、表示ユニット３が不用意に開くことがない。なお、本実施の形態では、凸面２１５ｃと平坦面２１６ｄとが凹凸係合するときの角度（表示ユニット３の傾き）を−１５°に設定しているが、この設定では表示ユニット３の傾きが５°以下で、シャフト２２１に上記したカム機構部の作用に基づく閉方向のトルクが生じる。
【００４６】
図９は、表示ユニット３が本体ユニット２に対して９０°まで開かれた状態を示し、（ａ）はヒンジ装置と表示ユニットおよび本体ユニットの状態を示す概略図、（ｂ）は（ａ）の状態におけるヒンジ装置のカム機構部の状態を示す概略図である。
【００４７】
図９（ａ）に示すように、表示ユニット３が本体ユニット２に対して９０°まで開かれた状態であるとき、図９（ｂ）に示すように、凸面２１５ｃと凸面２１６ｃとの接触部２５０は面接触抵抗の小なる状態にある。このことにより、表示ユニット３はシャフト２２１を回動軸として小さな外力で回動させることが可能である。
【００４８】
図１０は、表示ユニット３が本体ユニット２に対して１３５°まで開かれた状態を示し、（ａ）はヒンジ装置と表示ユニットおよび本体ユニットの状態を示す概略図、（ｂ）は（ａ）の状態におけるヒンジ装置のカム機構部の状態を示す概略図である。
【００４９】
図１０（ａ）に示すように、表示ユニット３が本体ユニット２に対して１３５°まで開かれると、ストッパ部材２１９に設けられたストッパ２１９Ａが第１のブラケット２１０に設けられるアーム２１５の回動規制端部２１３に当接する。このことにより、シャフト２２１の回動が規制され、表示ユニット３の角度が１３５°に保持される。
【００５０】
（本実施の形態の効果）
本実施の形態によれば、第１のブラケット２１０のアーム２１５にカム部２１５Ａを設けることで、第１のブラケット２１０とは別にカム部材を設けることなくシャフト２２１に設けられるカム部材２１６とのカム機構部を形成することができる、このことにより、カム機構部のカム係合状態に応じてヒンジ軸２３０に適切なトルクを付与するとともに部品点数の削減を実現できる。また、第２のブラケット２４０からヒンジ軸２３０の軸方向に離れた軸上にカム部２１５Ａおよびカム部材２１６からなる小型のカム機構部を設けているので、ヒンジ装置２１，２２を軽量化することができる。
【００５１】
カム部２１５Ａおよびカム部材２１６は、フランジ２３１と固定板２２０との間のシャフト２２１上に摺動可能に設けられ、カム面２１５ａおよび２１６ａが皿バネ２１７によって弾性的に接触した構成を有するので、カム面２１５ａおよび２１６ａの係合状態に応じたトルクがヒンジ軸２３０に対して長期にわたって安定的に付与される。カム部２１５Ａおよびカム部材２１６はともにＳＵＳで形成され、パーカー処理を施されていることにより、小型軽量ながら優れた耐磨耗性を備えている。
【００５２】
なお、本発明は、上記実施の形態に限定されず、種々変形実施が可能である。
【図面の簡単な説明】
【００５３】
【図１】図１は、本発明の実施の形態に係るポータブルコンピュータの斜視図である。
【図２】図２は、本発明の実施の形態に係るポータブルコンピュータの一部を分解した斜視図である。
【図３】図３は、図２に示すヒンジ支持部における第１のブラケットのビス固定状態を示す部分拡大図である。
【図４】図４は、図２に示すヒンジ支持部における第１のブラケットのビス固定状態を示す部分拡大図である。
【図５】図５は、ヒンジ装置を示す斜視図である。
【図６】図６は、ヒンジ装置を示す斜視図である。
【図７】図７は、ヒンジ装置の回動規制部およびカム機構部における分解図である。
【図８】図８は、表示ユニットが本体ユニットに対して閉じられた状態を示し、（ａ）はヒンジ装置と表示ユニットおよび本体ユニットの状態を示す概略図、（ｂ）は（ａ）の状態におけるヒンジ装置のカム機構部の状態を示す概略図である。
【図９】図９は、表示ユニットが本体ユニットに対して９０°まで開かれた状態を示し、（ａ）はヒンジ装置と表示ユニットおよび本体ユニットの状態を示す概略図、（ｂ）は（ａ）の状態におけるヒンジ装置のカム機構部の状態を示す概略図である。
【図１０】表示ユニットが本体ユニットに対して１３５°まで開かれた状態を示し、（ａ）はヒンジ装置と表示ユニットおよび本体ユニットの状態を示す概略図、（ｂ）は（ａ）の状態におけるヒンジ装置のカム機構部の状態を示す概略図である。
【符号の説明】
【００５４】
１…ポータブルコンピュータ、２…本体ユニット、３…表示ユニット、４…第１の筐体、４ｂ…上壁、４ｃ…側壁、４ｅ…後壁、５…ベース、６…トップカバー、７ａ，７ｂ…凹部、８…キーボード取付部、９…バッテリ収容部、１０…キーボード、１１…バッテリパック、１３…第２の筐体、１４…液晶表示部、１４ａ…スクリーン、１５ａ，１５ｂ…脚部、１６…ＬＣＤカバー、１７…ＬＣＤマスク、１８…開口部、１９…タッチパッド、１９ａ…スイッチ、１９ｂ…スイッチ、１９ｃ…指紋読取部、２０ａ，２０ｂ…ヒンジ支持部、２０ｂ…ヒンジ支持部、２１，２２…ヒンジ装置、２３…ビス、２５…メモリカードスロット、２６Ａ，２６Ｂ…ＵＳＢ端子、２７…電源スイッチ、２８Ａ，２８Ｂ…スイッチ、２９…ディスプレイ端子、２００…ビス固定部、２０１…位置決め部、２１０…第１のブラケット、２１１…ビス通し孔、２１２…位置決め孔、２１３…回動規制端部、２１４…カバー固定片、２１５…アーム、２１５Ａ…カム部、２１５Ｂ…孔、２１５ａ…カム面、２１５ｃ…凸面、２１５ｄ…平坦面、２１６…カム部材、２１６Ａ…孔、２１６ａ…カム面、２１６ｃ…凸面、２１６ｄ…平坦面、２１７…皿バネ、２１７ａ…凹面、２１７ｂ…凸面、２１８…摩擦板、２１８Ａ…穴、２１９…ストッパ部材、２１９Ａ…ストッパ、２２０…固定板、２２０Ａ…孔、２２１…シャフト、２２２…固定部、２３０…ヒンジ軸、２３１…フランジ、２４０…第２のブラケット、２４１…軸固定部、２４２…アーム、２４３…ＬＣＤカバー固定片、２４４…ビス通し孔、２５０…接触部
【図１】
2008298279.tif 000003
【図２】
2008298279.tif 000004
【図３】
2008298279.tif 000005
【図４】
2008298279.tif 000006
【図５】
2008298279.tif 000007
【図６】
2008298279.tif 000008
【図７】
2008298279.tif 000009
【図８】
2008298279.tif 000010
【図９】
2008298279.tif 000011
【図１０】
2008298279.tif 000012